(57)【特許請求の範囲】
【請求項１】
互いに色の異なる第１の粒子、第２の粒子および第３の粒子が収容された収容部を備える表示層と、
前記表示層の表面側に設けられた表面側電極と、
前記表示層の裏面側に、前記収容部に対応して設けられた第１の裏面側電極および第２の裏面側電極とを有し、
前記第１の粒子は、正または負に帯電し、
前記第２の粒子は、前記第１の粒子と補色の関係にある色をなし、前記第１の粒子と反対の極性に帯電し、さらに前記第１の粒子よりも電荷量が小さく、
前記表面側電極、第１の裏面側電極および第２の裏面側電極への電圧印加パターンを選択し、選択した電圧パターンを印加することにより、前記収容部内で前記第３の粒子を分散させた状態で、前記第１の粒子および前記第２の粒子が偏在する部位を設定し、前記表面側から視認される前記収容部内の色を変更するよう構成されており、
前記表面側電極に前記第１の粒子と同極の電圧を印加することにより、または、前記第１の裏面側電極および前記第２の裏面側電極のうちの少なくとも一方に前記第２の粒子と同極の電圧を印加することにより、前記第２の粒子を前記収容部の前記表面側に偏在させるとともに、前記第１の粒子を前記収容部の前記裏面側に偏在させることにより、前記第２の粒子の色が前記表面側から視認される第２の粒子色表示状態とし、
前記第２の粒子色表示状態で、前記第１の裏面側電極および前記第２の裏面側電極に前記第１の粒子と同じ極性の電圧を印加することにより、前記第２の粒子を前記収容部の前記表面側に偏在させたまま、前記第１の粒子を前記収容部の前記表示側に移動させ、前記第１の粒子および前記第２の粒子をともに前記収容部の前記表面側に偏在させることにより、前記第１の粒子と前記第２の粒子の混色である黒色が前記表面側から視認される黒色表示状態とし、
前記第１の粒子および前記第２の粒子をともに前記収容部の前記表面側に偏在させた後、前記表面側電極と前記第１の裏面側電極および前記第２の裏面側電極との間に交番電圧を印加し、前記第１の粒子および前記第２の粒子を前記表示層の厚さ方向に振動させることにより、前記第１の粒子と前記第２の粒子とが混合した混合状態とすることを特徴とする表示装置。
【請求項２】
前記第３の粒子は、正または負のいずれにも帯電していない請求項１に記載の表示装置。
【請求項３】
前記第１の裏面側電極に前記表面側電極よりも高電位、前記第２の裏面側電極に前記表面側電極よりも低電位とすることにより、前記第１の粒子および前記第２の粒子をともに前記収容部の前記裏面側に偏在させることにより、前記第３の粒子の色が前記表面側から視認される第３の粒子色表示状態とする請求項１または２に記載の表示装置。
【請求項４】
前記表面側電極に前記第１の粒子と反対の極性の電圧を印加することにより、または、前記第１の裏面側電極および前記第２の裏面側電極のうちの少なくとも一方に前記第２の粒子と反対の極性の電圧を印加することにより、前記第１の粒子を前記収容部の前記表面側に偏在させるとともに、前記第２の粒子を前記収容部の前記裏面側に偏在させることにより、前記第１の粒子の色が前記表面側から視認される第１の粒子色表示状態とする請求項１ないし３のいずれかに記載の表示装置。
【請求項５】
前記第１の粒子色表示状態とする際に生じる電界の大きさは、当該電界によって前記第１の粒子に作用する静電力が前記第１の粒子を前記収容部の内面に保持する引力よりも大きく、前記第２の粒子に作用する静電力が前記第２の粒子を前記収容部の内面に保持する引力よりも大きい請求項４に記載の表示装置。
【請求項６】
前記第２の粒子色表示状態とする際に生じる電界の大きさは、当該電界によって前記第１の粒子に作用する静電力が前記第１の粒子を前記収容部の内面に保持する引力よりも大きく、前記第２の粒子に作用する静電力が前記第２の粒子を前記収容部の内面に保持する引力よりも大きい請求項１ないし５のいずれかに記載の表示装置。
【請求項７】
前記黒色表示状態とする際に前記第１の粒子および前記第２の粒子に作用する電界の大きさは、前記第２の粒子色表示状態とする際に前記第１の粒子および前記第２の粒子に作用する電界よりも小さい請求項１ないし６のいずれかに記載の表示装置。
【請求項８】
前記黒色表示状態とする際に生じる電界の大きさは、当該電界によって作用する静電力が前記第１の粒子を前記収容部の内面に保持する引力よりも大きく、前記第２の粒子に作用する静電力が前記第２の粒子を前記収容部の内面に保持する引力よりも小さい請求項１ないし６のいずれかに記載の表示装置。
【請求項９】
前記混合状態とする際に生じる電界の大きさは、当該電界によって前記第１の粒子に作用する静電力が前記第１の粒子を前記収容部の内面に保持する引力よりも大きく、前記第２の粒子に作用する静電力が前記第２の粒子を前記収容部の内面に保持する引力よりも大きい請求項１ないし８のいずれかに記載の表示装置。
【請求項１０】
前記第１の粒子の色は、シアン、マゼンタ、イエロー、赤、緑または青である請求項１ないし９のいずれかに記載の表示装置。
【請求項１１】
前記第３の粒子の色は、白色である請求項１ないし１０のいずれかに記載の表示装置。
【請求項１２】
少なくとも３つの前記収容部によって１画素が構成されており、
前記少なくとも３つの収容部に含まれる第１の収容部に収容された前記第１の粒子および前記第２の粒子の一方が赤色をなし、他方がシアン色をなしており、第２の収容部に収容された前記第１の粒子および前記第２の粒子の一方が緑色をなし、他方がマゼンタ色をなしており、第３の収容部に収容された前記第１の粒子および前記第２の粒子の一方が青色をなし、他方がイエロー色をなしている請求項１ないし１１のいずれかに記載の表示装置。
【請求項１３】
請求項１ないし１２のいずれかに記載の表示装置を備えることを特徴とする電子機器。
【発明の詳細な説明】
【技術分野】
【０００１】
本発明は、表示装置および電子機器に関する。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
特許文献１には、複数のセルと、各セルの一方側（上側）に設けられた２つの電極（上部電極）と、各セルの他方側（下側）に設けられた下部電極とを有する表示装置が開示されている。また、各セルには、分散媒に３種の粒子を分散させてなる分散液が封入されている。また、３種の粒子は、負に帯電した黒色の第１の粒子と、負に帯電したイエローの第２の粒子と、正に帯電した白色の第３の粒子を含んでいる。
このような特許文献１の表示装置では、３つの電極の間に印加する電圧パターンを制御することにより、第１の粒子が上部電極側に集まった黒色表示状態、第２の粒子が上部電極に集まったイエロー表示状態、および、第３の粒子が上部電極側に集まった白色表示状態のいずれかとすることができる。
【０００３】
しかしながら、特許文献１の表示装置では、イエロー表示状態のときに、イエローの第２の粒子とともに、黒色の第１の粒子が上部電極側に集まってしまうので、黒色が影響して明るいイエロー、すなわち第２の粒子本来の色を表示することができない。また、黒色表示状態のときに、黒色の第１の粒子とともに、イエローの第２の粒子が上部電極側に集まってしまうので、イエローが影響して彩度が低く明度の小さい黒色、すなわち第１の粒子本来の色を表示することができない。すなわち、特許文献１の表示装置では、コントラストが低下するとともに、有彩色（イエロー）の明度・彩度が低下し、優れた表示特性を発揮することができないという問題が発生する。
【先行技術文献】
【特許文献】
【０００４】
【特許文献１】特開２００９−１９２６３７号公報
【発明の概要】
【発明が解決しようとする課題】
【０００５】
本発明の目的は、高いコントラストを発揮することができるとともに、鮮やかなカラー表示を行うことのできる表示装置およびそれを用いた電子機器を提供することにある。
【課題を解決するための手段】
【０００６】
このような目的は、下記の本発明により達成される。
本発明の表示装置は、互いに色の異なる第１の粒子、第２の粒子および第３の粒子が収容された収容部を備える表示層と、
前記表示層の表面側に設けられた表面側電極と、
前記表示層の裏面側に、前記収容部に対応して設けられた第１の裏面側電極および第２の裏面側電極とを有し、
前記第１の粒子は、正または負に帯電し、
前記第２の粒子は、前記第１の粒子と補色の関係にある色をなし、前記第１の粒子と反対の極性に帯電し、さらに前記第１の粒子よりも電荷量が小さく、
前記表面側電極、第１の裏面側電極および第２の裏面側電極への電圧印加パターンを選択し、選択した電圧パターンを印加することにより、前記収容部内で前記第３の粒子を分散させた状態で、前記第１の粒子および前記第２の粒子が偏在する部位を設定し、前記表面側から視認される前記収容部内の色を変更するよう構成されており、
前記表面側電極に前記第１の粒子と同極の電圧を印加することにより、または、前記第１の裏面側電極および前記第２の裏面側電極のうちの少なくとも一方に前記第２の粒子と同極の電圧を印加することにより、前記第２の粒子を前記収容部の前記表面側に偏在させるとともに、前記第１の粒子を前記収容部の前記裏面側に偏在させることにより、前記第２の粒子の色が前記表面側から視認される第２の粒子色表示状態とし、
前記第２の粒子色表示状態で、前記第１の裏面側電極および前記第２の裏面側電極に前記第１の粒子と同じ極性の電圧を印加することにより、前記第２の粒子を前記収容部の前記表面側に偏在させたまま、前記第１の粒子を前記収容部の前記表示側に移動させ、前記第１の粒子および前記第２の粒子をともに前記収容部の前記表面側に偏在させることにより、前記第１の粒子と前記第２の粒子の混色である黒色が前記表面側から視認される黒色表示状態とし、
前記第１の粒子および前記第２の粒子をともに前記収容部の前記表面側に偏在させた後、前記表面側電極と前記第１の裏面側電極および前記第２の裏面側電極との間に交番電圧を印加し、前記第１の粒子および前記第２の粒子を前記表示層の厚さ方向に振動させることにより、前記第１の粒子と前記第２の粒子とが混合した混合状態とすることを特徴とする。
本発明の表示装置は、互いに色の異なる第１の粒子、第２の粒子および第３の粒子が収容された収容部を備える表示層と、
前記表示層の表面側に設けられた表面側電極と、
前記表示層の裏面側に、前記収容部に対応して設けられた第１の裏面側電極および第２の裏面側電極とを有し、
前記第１の粒子は、正または負に帯電し、
前記第２の粒子は、前記第１の粒子と補色の関係にある色をなし、前記第１の粒子と反対の極性に帯電し、さらに前記第１の粒子よりも電荷量が小さく、
前記表面側電極、第１の裏面側電極および第２の裏面側電極への電圧印加パターンを選択し、選択した電圧パターンを印加することにより、前記収容部内で前記第３の粒子を分散させた状態で、前記第１の粒子および前記第２の粒子が偏在する部位を設定し、前記電極側から視認される前記収容部内の色を変更するよう構成されていることを特徴とする。
これにより、高いコントラストを発揮することができるとともに、鮮やかなカラー表示を行うことのできる表示装置を提供することができる。
【０００７】
本発明の表示装置では、前記第３の粒子は、正または負のいずれにも帯電していないことが好ましい。
これにより、第３の粒子を収容部内で分散させた状態とすることができる。
本発明の表示装置では、前記第１の裏面側電極に前記表面側電極よりも高電位、前記第２の裏面側電極に前記表面側電極よりも低電位とすることにより、前記第１の粒子および前記第２の粒子をともに前記収容部の前記裏面側に偏在させることにより、前記第３の粒子の色が前記表面側から視認される第３の粒子色表示状態とすることが好ましい。
これにより、スムーズに、第３の粒子の色を表示することができる。
【０００８】
本発明の表示装置では、前記表面側電極に前記第１の粒子と反対の極性の電圧を印加することにより、または、前記第１の裏面側電極および前記第２の裏面側電極のうちの少なくとも一方に前記第２の粒子と反対の極性の電圧を印加することにより、前記第１の粒子を前記収容部の前記表面側に偏在させるとともに、前記第２の粒子を前記収容部の前記裏面側に偏在させることにより、前記第１の粒子の色が前記表面側から視認される第１の粒子色表示状態とすることが好ましい。
これにより、第１の粒子の色を表示することができる。また、第２の粒子が裏面側電極に集まっているため、当該第２の粒子の色が表示色に影響を与えるのを抑制でき、第１の粒子本来の色を表示することができる。
【０００９】
本発明の表示装置では、前記第１の粒子色表示状態とする際に生じる電界の大きさは、当該電界によって前記第１の粒子に作用する静電力が前記第１の粒子を前記収容部の内面に保持する引力よりも大きく、前記第２の粒子に作用する静電力が前記第２の粒子を前記収容部の内面に保持する引力よりも大きいことが好ましい。
これにより、第１の粒子および第２の粒子を、より確実に、所望の方向へ移動させることができる。
【００１０】
本発明の表示装置では、前記表面側電極に前記第１の粒子と同極の電圧を印加することにより、または、前記第１の裏面側電極および前記第２の裏面側電極のうちの少なくとも一方に前記第２の粒子と同極の電圧を印加することにより、前記第２の粒子を前記収容部の前記表面側に偏在させるとともに、前記第１の粒子を前記収容部の前記裏面側に偏在させることにより、前記第２の粒子の色が前記表面側から視認される第２の粒子色表示状態とすることが好ましい。
これにより、第２の粒子の色を表示することができる。また、第１の粒子が、裏面側電極に集まっているため、当該第１の粒子の色が、表示色に影響を与えるのを抑制でき、第１の粒子本来の色を表示することができる。
【００１１】
本発明の表示装置では、前記第２の粒子色表示状態とする際に生じる電界の大きさは、当該電界によって前記第１の粒子に作用する静電力が前記第１の粒子を前記収容部の内面に保持する引力よりも大きく、前記第２の粒子に作用する静電力が前記第２の粒子を前記収容部の内面に保持する引力よりも大きいことが好ましい。
これにより、第１の粒子および第２の粒子を、より確実に、所望の方向へ移動させることができる。
【００１２】
本発明の表示装置では、前記第２の粒子色表示状態で、前記第１の裏面側電極および前記第２の裏面側電極に前記第１の粒子と反対の極性の電圧を印加することにより、前記第２の粒子を前記収容部の前記表面側に偏在させたまま、前記第１の粒子を前記収容部の前記表示側に移動させ、前記第１の粒子および前記第２の粒子をともに前記収容部の前記表面側に偏在させることにより、前記第１の粒子と前記第２の粒子の混色である黒色が前記表面側から視認される黒色表示状態とすることが好ましい。
これにより、スムーズに、第１の粒子と第２の粒子をともに表示側に移動させることができる。
【００１３】
本発明の表示装置では、前記黒色表示状態とする際に前記第１の粒子および前記第２の粒子に作用する電界の大きさは、前記第２の粒子色表示状態とする際に前記第１の粒子および前記第２の粒子に作用する電界よりも小さいことが好ましい。
これにより、第２の粒子を表面側電極側に留まらせたまま、第１の粒子を表面側電極に向けて移動させることができる。
【００１４】
本発明の表示装置では、前記黒色表示状態とする際に生じる電界の大きさは、当該電界によって作用する静電力が前記第１の粒子を前記収容部の内面に保持する引力よりも大きく、前記第２の粒子に作用する静電力が前記第２の粒子を前記収容部の内面に保持する引力よりも小さいことが好ましい。
これにより、第２の粒子を、より確実に、表面側電極側に留まらせることができる。
【００１５】
本発明の表示装置では、前記第１の粒子および前記第２の粒子をともに前記収容部の前記表面側に偏在させた後、前記表面側電極と前記第１の裏面側電極および前記第２の裏面側電極との間に交番電圧を印加し、前記第１の粒子および前記第２の粒子を前記表示層の厚さ方向に振動させることにより、前記第１の粒子と前記第２の粒子とが混合した混合状態とすることが好ましい。
これにより、より彩度が低く、より明度の小さい黒色を表示することができる。
【００１６】
本発明の表示装置では、前記混合状態とする際に生じる電界の大きさは、当該電界によって前記第１の粒子に作用する静電力が前記第１の粒子を前記収容部の内面に保持する引力よりも大きく、前記第２の粒子に作用する静電力が前記第２の粒子を前記収容部の内面に保持する引力よりも大きいことが好ましい。
これにより、第１の粒子と第２の粒子とを、効率的に振動させることができる。
【００１７】
本発明の表示装置では、前記第１の粒子の色は、シアン、マゼンタ、イエロー、赤、緑または青であることが好ましい。
これにより、カラー表示が可能となる。
本発明の表示装置では、前記第３の粒子の色は、白色であることが好ましい。
これにより、白色表示が可能となるとともに、高いコントラストを発揮することができる。
【００１８】
本発明の表示装置では、少なくとも３つの前記収容部によって１画素が構成されており、
前記少なくとも３つの収容部に含まれる第１の収容部に収容された前記第１の粒子および前記第２の粒子の一方が赤色をなし、他方がシアン色をなしており、第２の収容部に収容された前記第１の粒子および前記第２の粒子の一方が緑色をなし、他方がマゼンタ色をなしており、第３の収容部に収容された前記第１の粒子および前記第２の粒子の一方が青色をなし、他方がイエロー色をなしていることが好ましい。
これによりフルカラー表示が可能となる。
【００１９】
本発明の表示装置は、第１の粒子、第２の粒子および第３の粒子が収容された収容部を備える表示層と、
前記表示層の一方の面に設けられた表面側電極と、
前記表示層の他方の面に設けられた第１の裏面側電極および第２の裏面側電極とを有し、
前記第１の粒子は、正に帯電し、
前記第２の粒子は、前記第１の粒子と補色の関係にある色をなし、負に帯電し、前記第１の粒子より帯電量が小さく、
前記第３の粒子は、前記第１の粒子および前記第２の粒子と色が異なり、
前記表面側電極を前記第１の裏面側電極および前記第２の裏面側電極より高電位にすることにより、前記第１の粒子を前記収容部の前記他方の面側に偏在させるとともに、前記第２の粒子を前記収容部の前記一方の面側に偏在させる第１の状態とし、
前記表面側電極を前記第１の裏面側電極および前記第２の裏面側電極より低電位かつ、前記第１の状態より前記表面側電極と前記第１の裏面側電極および前記第２の裏面側電極との間の電位差を小さくすることにより、前記第２の粒子を前記収容部の前記一方の面側に偏在させたまま、前記第１の粒子を前記収容部の前記一方の面側に偏在させる第２の状態とすることを特徴とする。
これにより、高いコントラストを発揮することができるとともに、鮮やかなカラー表示を行うことのできる表示装置を提供することができる。
【００２０】
本発明の表示装置は、第１の粒子、第２の粒子および第３の粒子が収容された収容部を備える表示層と、
前記表示層の一方の面に設けられた表面側電極と、
前記表示層の他方の面に設けられた第１の裏面側電極および第２の裏面側電極とを有し、
前記第１の粒子は、負に帯電し、
前記第２の粒子は、前記第１の粒子と補色の関係にある色をなし、正に帯電し、前記第１の粒子より帯電量が小さく、
前記第３の粒子は、前記第１の粒子および前記第２の粒子と色が異なり、
前記表面側電極を前記第１の裏面側電極および前記第２の裏面側電極より低電位にすることにより、前記第１の粒子を前記収容部の前記他方の面側に偏在させるとともに、前記第２の粒子を前記収容部の前記一方の面側に偏在させる第１の状態とし、
前記表面側電極を前記第１の裏面側電極および前記第２の裏面側電極より高電位かつ、前記第１の状態より前記表面側電極と前記第１の裏面側電極および前記第２の裏面側電極との間の電位差を小さくすることにより、前記第２の粒子を前記収容部の前記一方の面側に偏在させたまま、前記第１の粒子を前記収容部の前記一方の面側に偏在させる第２の状態とすることを特徴とする。
これにより、高いコントラストを発揮することができるとともに、鮮やかなカラー表示を行うことのできる表示装置を提供することができる。
本発明の電子機器は、本発明のいずれかに記載の表示装置を備えることを特徴とする。
これにより、高いコントラストを発揮することができるとともに、鮮やかなカラー表示を行うことのできる電子機器を提供することができる。
【図面の簡単な説明】
【００２１】
【図１】本発明の表示装置の第１実施形態を模式的に示す断面図である。
【図２】図１に示す表示装置の平面図である。
【図３】図２に示す表示面側電極の変形例を示す平面図である。
【図４】第１の粒子および第２の粒子について説明する模式図である。
【図５】図１に示す表示装置の作動電圧を示す図である。
【図６】図１に示す表示装置の作動を説明する模式図である。
【図７】図１に示す表示装置の作動を説明する模式図である。
【図８】図１に示す表示装置の作動を説明する模式図である。
【図９】図１に示す表示装置の作動電圧を示す図である。
【図１０】図１に示す表示装置の作動を説明する模式図である。
【図１１】本発明の表示装置の第２実施形態を模式的に示す断面図である。
【図１２】本発明の電子機器を電子ペーパーに適用した場合の実施形態を示す斜視図である。
【図１３】本発明の電子機器をディスプレイに適用した場合の実施形態を示す図である。
【発明を実施するための形態】
【００２２】
以下、本発明の表示装置および電子機器を添付図面に示す好適実施形態に基づいて詳細に説明する。
＜第１実施形態＞
まず、本発明の表示装置の第１実施形態について説明する。
図１は、本発明の表示装置の第１実施形態を模式的に示す断面図、図２は、図１に示す表示装置の平面図、図３は、図２に示す表示面側電極の変形例を示す平面図、図４は、第１の粒子および第２の粒子について説明する模式図、図５および図９は、図１に示す表示装置の作動電圧を示す図、図６、図７、図８および図１０は、図１に示す表示装置の作動を説明する模式図である。なお、以下では、説明の都合上、図１中の上側を「上」、下側を「下」として説明を行う。
【００２３】
１．表示装置の構成
図１に示す表示装置１は、表示シート（フロントプレーン）２と、回路基板（バックプレーン）９とを有している。
表示シート２は、基板３と、基板３の下面に設けられた表示層５とを有している。また、基板３は、シート状（平板状）の基部３１と、基部３１の下面に形成された表示面側電極（表面側電極）３２とを有している。
一方の回路基板９は、シート状（平板状）の基部９１と、基部９１上に設けられた例えばＴＦＴ等のスイッチング素子を含む図示しない回路と、前記スイッチング素子に接続された複数の裏面側電極９２とを有している。
【００２４】
以下、これら各部位について順次詳細に説明する。
−表示層−
表示層５は、分散液１０が封入された複数のセル（収容部）５１を有している。本実施形態では、複数のセル５１は、マトリックス状に配置されている。また、本実施形態では、１つのセル５１が１つの画素を構成する。なお、複数のセル５１は、例えば、ハニカム状に配置されていてもよい。
【００２５】
表示層５は、シート状をなし、上面（一方の面）に開放する複数の凹部５２１を有する基体５２と、凹部５２１を塞ぐように基体５２に液密的に接合された蓋体５３とを有している。そして、凹部５２１の内面と蓋体５３の下面とで画成された空間がセル５１を構成している。なお、蓋体５３は、実質的に無色透明であり、この蓋体５３を介して、セル５１内を視認できるようになっている。
【００２６】
基体５２および蓋体５３は、それぞれ、絶縁性と分散液１０の不透過性とを有している。基体５２および蓋体５３の構成材料は、それぞれ、特に限定されず、例えば、ポリエチレン、ポリプロピレン、エチレン−酢酸ビニル共重合体等のポリオレフィン、変性ポリオレフィン、ポリアミド（例：ナイロン６、ナイロン６６）、スチレン系、ポリ塩化ビニル系、ポリウレタン系、ポリエステル系、エポキシ系、フッ素ゴム系、塩素化ポリエチレン系等の各種熱可塑性エラストマー等、またはこれらを主とする共重合体、ブレンド体、ポリマーアロイ等が挙げられ、これらのうちの１種の材料を用いてもよいし、２種以上の材料を混合して用いてもよい。
【００２７】
各セル５１内に封入された分散液１０は、分散媒６に３種の粒子（第１の粒子Ａ、第２の粒子Ｂおよび第３の粒子Ｃ）を分散させたものである。
分散媒６は、実質的に無色透明であることが好ましい。分散媒６は、比較的高い絶縁性を有しているのが好ましい。かかる分散媒６としては、例えば、メタノール、エタノール、ブタノール等のアルコール類、メチルセロソルブ等のセロソルブ類、酢酸メチル、酢酸エチル等のエステル類、アセトン、メチルエチルケトン等のケトン類、ペンタン等の脂肪族炭化水素類、シクロへキサン等の脂環式炭化水素類、ベンゼン、トルエンのような長鎖アルキル基を有するベンゼン類等の芳香族炭化水素類、塩化メチレン、クロロホルム等のハロゲン化炭化水素類、ピリジン、ピラジン等の芳香族複素環類、アセトニトリル、プロピオニトリル等のニトリル類、Ｎ，Ｎ−ジメチルホルムアミド等のアミド類、カルボン酸塩、流動パラフィンなどの鉱物油類、リノール酸、リノレン酸、オレイン酸等の植物油類、ジメチルシリコーンオイル、メチルフェニルシリコーンオイル、メチルハイドロジェンシリコーンオイル等のシリコーンオイル類、ハイドロフルオロエーテル等のフッ素系液体またはその他の各種油類等が挙げられ、これらを単独または混合物として用いることができる。
【００２８】
また、分散媒６中には、必要に応じて、例えば、電解質、界面活性剤、金属石鹸、樹脂材料、ゴム材料、油類、ワニス、コンパウンド等の粒子からなる荷電制御剤、チタン系カップリング剤、アルミニウム系カップリング剤、シラン系カップリング剤等の分散剤、潤滑剤、安定化剤等の各種添加剤を添加するようにしてもよい。
このような分散媒６中には、前述したように、第１の粒子Ａ、第２の粒子Ｂおよび第３の粒子Ｃが分散されている。
【００２９】
第１の粒子Ａは、正に帯電した正帯電粒子である。また、第２の粒子Ｂは、負に帯電した負帯電粒子であり、さらに第１の粒子Ａよりも電荷量（絶対値）が小さい。また、第３の粒子は、実質的に帯電しない非帯電粒子である。なお、第１の粒子Ａと第２の粒子Ｂの組み合わせとしては、これに限定されず、第１の粒子Ａが負に帯電した負帯電粒子であり、第２の粒子Ｂが正に帯電した正帯電粒子でかつその帯電量が第１の粒子Ａよりも小さい組み合わせであってもよい。なお、本明細書中の「非帯電粒子」とは、後述する電界が作用してもその電界に従って移動しない粒子のことを言い、このような性質を有していれば、正または負に帯電していてもよい。
【００３０】
これら３種の粒子Ａ〜Ｃのうち、第１の粒子Ａおよび第２の粒子Ｂは、共に電荷を有する粒子であるため、後述するように、表示面側電極３２と裏面側電極９２との間に発生する電界に従って、分散媒６中を電気泳動（移動）する。一方、第３の粒子Ｃは、電荷を有さないため、表示面側電極３２と裏面側電極９２との間に電界が発生しているか否かに関わらず、分散媒６中に分散した状態を維持する。
このような第１の粒子Ａ、第２の粒子Ｂおよび第３の粒子Ｃは、互いに、色が異なっている。
【００３１】
第３の粒子Ｃは、白色をなしている。非帯電粒子である第３の粒子Ｃを白色とすることにより、後述するように、より明るい白色を表示することができる。
第１の粒子Ａおよび第２の粒子Ｂは、互いに、補色の関係にある色をなしている。これにより、後述するように、第１の粒子Ａおよび第２の粒子Ｂを用いて黒色を表示することができる。具体的には、例えば、第１の粒子Ａおよび第２の粒子Ｂの一方を赤色とし、他方をシアンとてもよいし、一方を緑色とし、他方をマゼンタとしてもよく、一方を青色とし、他方をイエローとしてもよい。
【００３２】
なお、以下では、説明の便宜上、第１の粒子Ａを赤色とし、第２の粒子Ｂをシアンとした構成について代表して説明する。
第１の粒子Ａ、第２の粒子Ｂおよび第３の粒子Ｃは、それぞれ、正電荷、負電荷および無電荷であれば、いかなるものをも用いることができ、特に限定はされないが、顔料粒子、樹脂粒子、セラミックス粒子、金属粒子、金属酸化物粒子またはこれらの複合粒子のうちの少なくとも１種が好適に使用される。これらの粒子は、製造が容易であるとともに、荷電の制御を比較的容易に行うことができるという利点を有している。
【００３３】
顔料粒子を構成する顔料としては、例えば、アニリンブラック、カーボンブラック、チタンブラック等の黒色顔料、二酸化チタン、三酸化アンチモン、硫化亜鉛、亜鉛華等の白色顔料、モノアゾ、ジスアゾ、ポリアゾ等のアゾ系顔料、イソインドリノン、黄鉛、黄色酸化鉄、カドミウムイエロー、チタンイエロー等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、紺青、群青、コバルトブルー等の青色顔料、フタロシアニングリーン等の緑色顔料等が挙げられ、これらのうちの１種または２種以上を組み合わせて用いることができる。
【００３４】
また、樹脂粒子を構成する樹脂材料としては、例えば、アクリル系樹脂、ウレタン系樹脂、尿素系樹脂、エポキシ系樹脂、ロジン樹脂、ポリスチレン、ポリエステル、スチレンとアクリロニトリルを共重合したＡＳ樹脂等が挙げられ、これらのうちの１種または２種以上を組み合わせて用いることができる。
また、複合粒子としては、例えば、顔料粒子の表面を樹脂材料で被覆したもの、樹脂粒子の表面を顔料で被覆したもの、顔料と樹脂材料とを適当な組成比で混合した混合物で構成される粒子等が挙げられる。
【００３５】
また、第１の粒子Ａ、第２の粒子Ｂおよび第３の粒子Ｃの分散媒６中での分散性を向上させることを目的に、各粒子Ａ〜Ｃの表面に、分散媒６と相溶性の高い高分子を物理的に吸着させたり、化学的に結合させたりすることができる。これらの中でも、各粒子Ａ〜Ｃの表面からの離脱着の問題から、前記高分子が化学的に結合しているものが特に好ましい。かかる構成とすれば、各粒子Ａ〜Ｃの見かけの比重が小さくなる方向に作用して、各粒子Ａ〜Ｃの分散媒６での親和性、すなわち分散性を向上させることができる。
【００３６】
第１の粒子Ａ、第２の粒子Ｂおよび第３の粒子Ｃの平均粒径は、それぞれ、特に限定されないが、０．１〜１０μｍ程度であるのが好ましく、０．１〜７．５μｍ程度であるのがより好ましい。各粒子Ａ〜Ｃの平均粒径が小さ過ぎると、主に可視光域において十分な隠蔽率を得ることができず、その結果、表示装置１の表示コントラストが低下するおそれがある。一方、各粒子Ａ〜Ｃの平均粒径が大き過ぎると、その種類等によっては、分散媒６中において沈降し易くなり、表示装置１の表示品質が劣化すること等の問題が生じるおそれがある。なお、「平均粒子径」とは、動的光散乱式粒度分布測定装置（例えば、製品名：ＬＢ−５００、（株）堀場製作所製）で測定した体積平均粒子径を意味する。
また、第１の粒子Ａ、第２の粒子Ｂおよび第３の粒子Ｃの比重は、それぞれ、分散媒６の比重とほぼ等しくなるように設定されているのが好ましい。これにより、各粒子Ａ〜Ｃは、表示面側電極３２と裏面側電極９２との間への電圧の印加を停止した後においても、分散媒６中において一定の位置に長時間滞留することができる。すなわち、表示装置１にメモリー性が付与され、表示された情報を長時間保持することができる。これにより、表示装置１の省電力化を図ることができる。
以上、表示層５について説明した。
【００３７】
このような表示層５の上面には、基板３が設けられており、下面には、回路基板９が設けられている。すなわち、表示層５は、基板３と回路基板９とで狭持されている。前述したように、基板３は、シート状の基部３１と、基部３１の下面（表示層５側の面）に設けられた表示面側電極３２を有し、回路基板９は、シート状の基部９１と、基部９１の上面（表示層５側の面）に設けられた複数の裏面側電極９２とを有している。
【００３８】
また、本実施形態では、基板３の上面が表示装置１の表示面（画像が表示される面）１ａとなっている。
基部３１、９１は、ともに可撓性を有するもの、硬質なもののいずれであってもよいが、可撓性を有するものであるのが好ましい。基部３１、９１として、可撓性を有するものを用いることにより、可撓性を有する表示装置１を得ることができる。
【００３９】
基部３１、９１を可撓性を有するものとする場合、その構成材料は、それぞれ、例えば、ＰＥＴ（ポリエチレンテレフタレート）、ＰＥＮ（ポリエチレンナフタレート）等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられる。
【００４０】
また、基部３１、９１の平均厚さは、それぞれ、構成材料、用途等により適宜設定され、特に限定されないが、可撓性を有するものとする場合、２０μｍ以上、５００μｍ以下程度であるのが好ましく、２５μｍ以上、２５０μｍ以下程度であるのがより好ましい。これにより、表示装置１の柔軟性と強度との調和を図りつつ、表示装置１の小型化（薄型化）を図ることができる。
基部３１上に形成された表示面側電極３２は、表示装置１の平面視にて、各セル５１と重なるようにして設けられている。
【００４１】
一方、基部９１上に形成された複数の裏面側電極９２は、マトリックス状（行列状）に設けられている。また、複数の裏面側電極９２は、各セル５１上に２つの裏面側電極９２（すなわち、１つのセル５１に対して２つの裏面側電極９２）が位置するように設けられている。
表示面側電極３２および各裏面側電極９２の構成材料は、それぞれ、実質的に導電性を有するものであれば特に限定されず、例えば、金、銀、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）、インジウムスズ酸化物（ＩＴＯ）、フッ素ドープ酸化スズ（ＦＴＯ）等の導電性酸化物材料のような各種導電性材料が挙げられ、これらのうちの１種または２種以上を組み合わせて用いることができる。
【００４２】
ここで、図２に示すように、１つのセル５１に対応して設けられた２つの裏面側電極９２（９２’、９２”）は、互いにほぼ同じ形状（長方形状）をなし、その短辺方向に離間して設けられているが、２つの裏面側電極９２’、９２”の形状および配置は、これに限定されない。例えば、２つの裏面側電極９２’、９２”が電気的に分離されていれば、図３（ａ）に示すように、枠状の裏面側電極９２’の内側に裏面側電極９２”が設けられた構成であってもよいし、図３（ｂ）に示すように、セル５１の中央部に設けられた裏面側電極９２’を介して対向するように２つに分割された裏面側電極９２”が設けられた構成であってもよい。
【００４３】
２．表示装置の作動
表示装置１は、次のようにして作動する。なお、以下では、説明の便宜上、１つのセル５１（１画素）について代表して説明する。また、前記１つのセル５１に対応して設けられた２つの裏面側電極９２の一方を「裏面側電極（第１の裏面側電極）９２１」と言い、他方を「裏面側電極（第２の裏面側電極）９２２」と言う。
【００４４】
表示装置１は、３つの電極（表示面側電極３２、裏面側電極９２１、９２２）に、それぞれ独立して電圧を印加できるようになっている。具体的には、表示装置１は、３つの電極３２、９２１、９２２をそれぞれ独立して、接地状態（すなわち０Ｖの電圧が印加されている状態）、所定の大きさの正電圧（例えば＋１５Ｖ）が印加された正電位状態、または、所定の大きさの負電圧（例えば−１５Ｖ）が印加された負電位状態とすることができる。
【００４５】
なお、各電極３２、９２１、９２２を電位の異なる３つの状態とすることができれば、前述のような、正電位状態、接地状態、負電位状態でなくてもよく、例えば、各電極３２、９２１、９２２に３０Ｖ、２０Ｖ、１０Ｖの電圧を印加できるようになっていてもよい。
電極３２、９２１、９２２が前記正電位状態の時に印加される電圧（電極間３２、９２１、９２２の電位差）の大きさと、電極３２、９２１、９２２が前記負電位状態の時に印加される電圧の大きさ、言い換えれば、第１の粒子の電荷量および第２の粒子Ｂの電荷量は、次のようにして決定される。なお、以下では、説明の便宜上、図４に示すモデル、すなわち分散液１０が封入されたセル５１が一対の電極１００、１１０に挟まれたモデルを用いて説明する。ただし、図４では、説明の便宜上、第３の粒子Ｃの図示を省略しており、第１の粒子Ａおよび第２の粒子Ｂについては、それぞれ、１つずつしか図示していない。また、図４に示すモデルの電極１００は、表示面側電極３２に相当し、電極１１０は、裏面側電極９２１、９２２に相当するものである。
【００４６】
図４に示す状態では、第１の粒子Ａがセル５１の内面に接触している。そのため、第１の粒子Ａとセル５１の内面との間には、第１の粒子Ａをセル５１の内面に保持する引力（吸着エネルギー）ｆ１が発生している。したがって、第１の粒子Ａをセル５１の内面から離間させるには、一対の電極１００、１１０間に電圧を印加することで生じる電界によって第１の粒子Ａに作用する静電力（脱出エネルギー）ｆ２が、吸着エネルギーｆ１よりも大きくなければならない。
【００４７】
同様に、第２の粒子Ｂもセル５１の内面に接触している。そのため、第２の粒子Ｂとセル５１の内面との間には、第２の粒子Ｂをセル５１の内面に保持する引力（吸着エネルギー）ｆ３が発生している。したがって、第２の粒子Ｂをセル５１の内面から離間させるには、一対の電極１００、１１０間に電圧を印加することで生じる電界によって第２の粒子Ｂに作用する静電力（脱出エネルギー）ｆ４が、吸着エネルギーｆ３よりも大きくなければならない。
ここで、前述したように、第２の粒子Ｂは、第１の粒子Ａよりも電荷量（絶対値）が小さいので、電極１００、１１０間に電圧を印加し、第１の粒子Ａおよび第２の粒子Ｂに同じ電界を作用させた場合、当該電界によって第２の粒子Ｂに作用する脱出エネルギーｆ４が、第１の粒子Ａに作用する脱出エネルギーｆ２よりも小さくなる。
【００４８】
本実施形態では、１）電極１００を前記正電位状態（例えば＋ｘＶ）とし、電極１１０を前記負電位状態（例えば、−ｘＶ）とすることにより生じる第１の電界（すなわち、電位差２ｘＶの電界）では、第１の粒子Ａに作用する脱出エネルギーｆ２が第１の粒子Ａをセル５１の内面に保持する吸着エネルギーｆ１よりも大きくなるとともに、第２の粒子Ｂに作用する脱出エネルギーｆ４が第２の粒子Ｂをセル５１の内面に保持する吸着エネルギーｆ３よりも大きくなり、２）電極１００を前記接地状態（０Ｖ）とし、電極１１０を前記負電位状態（例えば、−ｘＶ）とすることにより生じる第２の電界（すなわち、電位差ｘＶの電界）では、第１の粒子Ａに作用する脱出エネルギーｆ２が第１の粒子Ａをセル５１の内面に保持する吸着エネルギーｆ１よりも大きくなるが、第２の粒子Ｂに作用する脱出エネルギーｆ４が第２の粒子Ｂをセル５１の内面に保持する吸着エネルギーｆ３より小さくなるように、第１の粒子Ａの電荷量および第２の粒子Ｂの電荷量をそれぞれ設定している。これにより、表示装置１は、後述するような作動をより確実かつスムーズに行うことができる。
【００４９】
言い換えれば、本実施形態では、１）第１の粒子Ａに作用する脱出エネルギーｆ２が第１の粒子Ａをセル５１の内面に保持する吸着エネルギーｆ１よりも大きくなるとともに、第２の粒子Ｂに作用する脱出エネルギーｆ４が第２の粒子Ｂをセル５１の内面に保持する吸着エネルギーｆ３よりも大きくなるように前記第１の電界の強さ、すなわち電極１００、１１０の電位差を設定し、２）第１の粒子Ａに作用する脱出エネルギーｆ２が第１の粒子Ａをセル５１の内面に保持する吸着エネルギーｆ１よりも大きくなるが、第２の粒子Ｂに作用する脱出エネルギーｆ４が第２の粒子Ｂをセル５１の内面に保持する吸着エネルギーｆ３より小さくなるように、第２の電界の強さ、すなわち電極１００、１１０の電位差を設定している。
【００５０】
このような表示装置１では、セル５１を、表示面１ａに黒色が表示される黒色表示状態、表示面１ａに白色が表示される白色表示状態、表示面１ａに赤色が表示される赤色表示状態または表示面１ａにシアンが表示されるシアン表示状態とすることができる。以下、黒色表示状態、白色表示状態、赤色表示状態およびシアン表示状態について順次説明する。
【００５１】
−白色表示状態（第３の粒子色表示状態）−
図５（ａ）に示す電圧を、３つの電極３２、９２１、９２２に印加する。すなわち、表示面側電極３２を接地状態（０Ｖ）としつつ、裏面側電極９２１が負電位状態（表示面側電極３２より低電位）、裏面側電極９２２が正電位状態（表示面側電極３２より高電位）となる電圧を印加する。すると、図６に示すように、正に帯電した第１の粒子Ａは、分散媒６中を裏面側電極９２１に向かって移動し、裏面側電極９２１側に集まる。一方、負に帯電した第２の粒子Ｂは、分散媒６中を裏面側電極９２２に向かって移動し、裏面側電極９２２側に集まる。なお、第３の粒子Ｃは、分散媒６中に分散した状態を維持する。
これにより、第３の粒子Ｃがセル５１（分散媒６）中に分散し、表示面１ａ側からセル５１を視認した時に、第１の粒子Ａおよび第２の粒子Ｂが第３の粒子Ｃによって覆い隠される。その結果、このような状態では、表示面１ａには、第３の粒子Ｃの色である白色が表示される。
【００５２】
なお、図６のように、第３の粒子Ｃを分散媒６中で分散させることにより、基板３を介してセル５１内に入射した外光を、効率的に反射・拡散させることができ、例えば、第３の粒子Ｃを表示面側電極３２側に偏在させることにより白色を表示する場合と比較して、より明るい白色を表示することができる。その結果、より高いコントラストを発揮することができる。
【００５３】
−赤色表示状態（第１の粒子色表示状態）−
図５（ｂ）に示す電圧を、３つの電極３２、９２１、９２２に印加する。すなわち、表示面側電極３２が負電位状態、裏面側電極９２１、９２２が正電位状態（表示面側電極３２より高電位）となる電圧を印加する。すると、図７に示すように、正に帯電した第１の粒子Ａは、分散媒６中を表示面側電極３２に向かって移動し、表示面側電極３２側に集まる。一方、負に帯電した第２の粒子Ｂは、分散媒６中を裏面側電極９２１、９２２に向かって移動し、裏面側電極９２１、９２２側に集まる。なお、第３の粒子Ｃは、分散媒６中に分散した状態を維持する。これにより、表示面１ａには、第１の粒子Ａの色である赤色が表示される。
【００５４】
ここで、図５（ｂ）に示す電圧を３つの電極３２、９２１、９２２に印加することで生じる電界によって第１の粒子Ａに作用する脱出エネルギーｆ２が第１の粒子Ａをセル５１の内面に保持する吸着エネルギーｆ１よりも大きく、また、第２の粒子Ｂに作用する脱出エネルギーｆ４も第２の粒子Ｂをセル５１の内面に保持する吸着エネルギーｆ３よりも大きいため、第１の粒子Ａおよび第２の粒子Ｂが分散媒６中に分散した状態（図１に示す状態）、白色表示状態、後述するシアン表示状態や黒色表示状態のいずれの状態からでも、スムーズに、赤色表示状態とすることができる。
【００５５】
なお、赤色表示状態では、第２の粒子Ｂが裏面側電極９２１、９２２、すなわち表示面１ａから遠い部位に集まっており、さらに、第１の粒子Ａと第２の粒子Ｂとの間に白色の第３の粒子Ｃが分散している。そのため、第１の粒子Ａの間を通過した外光を第２の粒子Ｂに到達する前に、第３の粒子Ｃで反射・拡散させることができる。その結果、第２の粒子Ｂの色が赤色表示状態に影響を与えるのを防止（または抑制）することができるともに、より明るい赤色を表示することができる。
【００５６】
−シアン表示状態（第２の粒子色表示状態）−
図５（ｃ）に示す電圧を、３つの電極３２、９２１、９２２に印加する。すなわち、表示面側電極３２が正電位状態、裏面側電極９２１、９２２が負電位状態（表示面側電極３２より低電位）となる電圧を印加する。すると、図８に示すように、正に帯電した第１の粒子Ａは、分散媒６中を裏面側電極９２１、９２２に向かって移動し、裏面側電極９２１、９２２側に集まる。一方、負に帯電した第２の粒子Ｂは、分散媒６中を表示面側電極３２に向かって移動し、表示面側電極３２側に集まる。なお、第３の粒子Ｃは、分散媒６中に分散した状態を維持する。これにより、表示面１ａには、第２の粒子Ｂの色であるシアンが表示される。
【００５７】
ここで、図５（ｃ）に示す電圧を３つの電極３２、９２１、９２２に印加することで生じる電界によって第１の粒子Ａに作用する脱出エネルギーｆ２が第１の粒子Ａをセル５１の内面に保持する吸着エネルギーｆ１よりも大きく、また、第２の粒子Ｂに作用する脱出エネルギーｆ４も第２の粒子Ｂをセル５１の内面に保持する吸着エネルギーｆ３よりも大きいため、第１の粒子Ａおよび第２の粒子Ｂが分散媒６中に分散した状態、白色表示状態、赤色表示状態、後述する黒色表示状態のいずれの状態からでも、スムーズに、シアン表示状態とすることができる。
【００５８】
なお、シアン表示状態では、第１の粒子Ａが裏面側電極９２１、９２２、すなわち表示面１ａから遠い部位に集まっており、さらに、第２の粒子Ｂと第１の粒子Ａとの間に白色の第３の粒子Ｃが分散している。そのため、第２の粒子Ｂの間を通過した外光を第１の粒子Ａに到達する前に、第３の粒子Ｃで反射・拡散させることができる。その結果、第１の粒子Ａの色がシアン表示状態に影響を与えるのを防止（または抑制）することができるともに、より明るいシアンを表示することができる。
【００５９】
−黒色表示状態−
まず、図５（ｃ）に示す電圧を印加し、セル５１を、図８に示すシアン表示状態とする。次いで、図９（ａ）に示す電圧を、３つの電極３２、９２１、９２２に印加する。すなわち、表示面側電極３２を接地状態としつつ、裏面側電極９２１、９２２が正電位状態（表示面側電極３２より高電位となっている状態。ただし、赤色表示状態より表示面側電極３２と裏面側電極９２１、９２２との間の電位差が小さい。）となる電圧を印加する。この際に生じる電界によって第１の粒子Ａに作用する脱出エネルギーｆ２は、第１の粒子Ａをセル５１の内面に保持する吸着エネルギーｆ１よりも大きいため、正に帯電した第１の粒子Ａは、セル５１の内壁から離間するとともに分散媒６中を表示面側電極３２に向かって移動し、表示面側電極３２側に集まる。一方、第２の粒子Ｂに作用する脱出エネルギーｆ４は、第２の粒子Ｂをセル５１の内面に保持する吸着エネルギーｆ３よりも小さいため、第２の粒子Ｂは、セル５１の内壁から離間できずに、または離間したとしても、そのまま表示面側電極３２側に留まる。これにより、図１０に示すように、第１の粒子Ａおよび第２の粒子Ｂが、セル５１内の表示面側電極３２側に集まった状態となる。その結果、表示面１ａには、第１の粒子Ａの色（赤色）と第２の粒子Ｂの色（シアン）との混色である黒色が表示される。
【００６０】
なお、図９（ａ）の電圧に変えて、裏面側電極９２１、９２２を接地状態としつつ、表示面側電極３２を負電位状態とする電圧を印加してもよい。このような電圧印加によっても、前述と同様に、第１の粒子Ａおよび第２の粒子Ｂが、セル５１内の表示面側電極３２側に集まった状態となり、黒色が表示される。
また、シアン表示状態とするために裏面側電極９２１、９２２を負電位状態とし、黒色表示状態とするために裏面側電極９２１、９２２を正電位状態とするが、負電位状態と正電位状態との間には、０Ｖの状態が介在していてもよいし、負電位状態から正電位状態へ連続して変化してもよい。
【００６１】
ここで、複数の第２の粒子Ｂの中には、セル５１の大きさ（内面の表面積）等によっては、シアン表示状態でセル５１の内壁に接触していないものもあれば、製造精度の限界によっては、他の第２の粒子Ｂと比べて電荷量が大きい（例えば、第１の粒子Ａの電荷量と同程度の）ものも存在することが考えられる。そのため、複数の第２の粒子の中には、図９（ａ）に示す電圧を印加した際に、裏面側電極９２１、９２２に向けて移動するものも存在することが考えられる。
【００６２】
しかしながら、前述したように、第２の粒子の電荷量は、第１の粒子の電荷量よりも小さいため、第２の粒子の移動度（所定の強さの電界を作用させた時の単位時間当たりの移動距離）は、第１の粒子Ａの移動度よりも小さい。したがって、第１の粒子Ａが裏面側電極９２１、９２２から表示面側電極３２に向けて移動し、表示面側電極３２側に集まった時刻には、裏面側電極９２１、９２２に向けて移動する第２の粒子Ｂは、まだ、表示面側電極３２側に位置している。そのため、第１の粒子Ａおよび第２の粒子Ｂが、セル５１内の表示面側電極３２側に集まった状態となる。
【００６３】
ここで、第２の粒子Ｂの移動度は、第１の粒子Ａの移動度の１／２以下であるのが好ましく、１／４以下であるのがより好ましい。これにより、より確実に、シアン表示状態から第１の粒子Ａを表示面側電極３２側に移動させる際、第１の粒子Ａが移動を終えた時刻において、第２の粒子Ｂ（裏面側電極９２１、９２２へ向けて移動する第２の粒子Ｂ）を表示面側電極３２側（表示面側電極３２の近傍）に留めておくことができる。
【００６４】
また、図９（ａ）に示す電圧の印加時間は、第１の粒子Ａが裏面側電極９２１、９２２から表示面側電極３２へ移動するのにかかる時間とほぼ等しいことが好ましい。これにより、第１の粒子Ａを裏面側電極９２１、９２２側から表示面側電極３２側へ移動させることができるとともに、第２の粒子Ｂ（裏面側電極９２１、９２２へ向けて移動する第２の粒子Ｂ）の裏面側電極９２１、９２２へ向けての過度な移動を抑制することができる。そのため、より確実に、黒色を表示することができる。
【００６５】
なお、前述した黒色表示状態（すなわち、第１の粒子Ａおよび第２の粒子Ｂがセル５１内の表示面側電極３２側に集まった状態）となった後に、さらに図９（ｂ）に示す電圧を、３つの電極３２、９２１、９２２に印加してもよい。すなわち、表示面側電極３２と裏面側電極９２１、９２２との間に交番電圧を印加してもよい。
図９（ｂ）に示す電圧を３つの電極３２、９２１、９２２に印加することで生じる電界によって第１の粒子Ａに作用する脱出エネルギーｆ２は、第１の粒子Ａをセル５１の内面に保持する吸着エネルギーｆ１よりも大きく、また、第２の粒子Ｂに作用する脱出エネルギーｆ４も第２の粒子Ｂをセル５１の内面に保持する吸着エネルギーｆ３よりも大きいため、第１の粒子Ａおよび第２の粒子Ｂが共に電界に従って移動する。
【００６６】
具体的には、表示面側電極３２が正電位、裏面側電極９２１、９２２が負電位の状態では、第１の粒子Ａが裏面側電極９２１、９２２に向かって移動するとともに、第２の粒子Ｂが表示面側電極３２に向かって移動し、反対に、表示面側電極３２が負電位、裏面側電極９２１、９２２が正電位の状態では、第１の粒子Ａが表示面側電極３２に向かって移動するとともに、第２の粒子Ｂが裏面側電極９２１、９２２に向かって移動する。
【００６７】
これにより、第１の粒子Ａおよび第２の粒子Ｂが、表示面側電極３２と裏面側電極９２１、９２２の離間方向（表示層５の厚さ方向）に振動する。その結果、第１の粒子Ａおよび第２の粒子Ｂが、より均一に混合した状態で、セル５１内の表示面１ａ側に偏在した状態となる。これにより、当該交番電圧を印加する前と比較して、より彩度が低く、より明度の小さい黒色を表示することができる。そのため、表示装置１は、より高いコントラストを発揮することができる。
【００６８】
前記交番電圧（の波形）は、特に限定されないが、表示面側電極３２が正電位、裏面側電極９２１、９２２が負電位となる期間Ｔ１と、表示面側電極３２が負電位、裏面側電極９２１、９２２が正電位となる期間Ｔ２とが等しいことが好ましい。これにより、第１の粒子Ａおよび第２の粒子Ｂをセル５１内の表示面１ａ側に位置させたまま振動させ、混合することができる。
【００６９】
また、前記交番電圧は、期間Ｔ１と期間Ｔ２との間に、表示面側電極３２と、裏面側電極９２１、９２２とが同電位（電位差が０の状態）となる期間Ｔ３を有しているのが好ましい。このような期間Ｔ３を有することにより、第１の粒子Ａおよび第２の粒子Ｂをより効果的に振動させることができる。具体的には、第１の粒子Ａや第２の粒子Ｂに電界が作用すると、これら粒子がそれぞれ誘電分極し、誘電分極した粒子同士が静電力によって吸着してしまう。期間Ｔ１と期間Ｔ２の間に期間Ｔ３を介在させることにより、粒子Ａ、Ｂの誘電分極が解除され、それにより粒子同士が互いに離間し、各粒子が移動し易くなる。そのため、第１の粒子Ａおよび第２の粒子Ｂを効果的に振動させることができる。
【００７０】
以上のような表示装置１によれば、第１の粒子Ａと第２の粒子Ｂを混合状態とすることにより黒色を表示するため、明度が低く、彩度が小さい黒色を表示することができる。また、黒色の粒子を用いることなく黒色を表示できるため、第１の粒子Ａの色、第２の粒子Ｂの色および第３の粒子Ｃの色をより明るく鮮やかに表示することができる。また、第１の粒子Ａの色を表示する際には、第２の粒子Ｂが反対側に移動し、第２の粒子Ｂの色を表示する際には、第１の粒子Ａが反対側へ移動するため、この点からも、第１の粒子Ａおよび第２の粒子Ｂの色を、より明るく鮮やかに表示することができる。したがって、表示装置１は、高いコントラストを発揮することができるとともに、鮮やかなカラー表示を行うことができる。
【００７１】
＜第２実施形態＞
次に、本発明の表示装置の第２実施形態について説明する。
図１１は、本発明の表示装置の第２実施形態を模式的に示す断面図である。
以下、第２実施形態にかかる表示装置について説明するが、前述した実施形態との相違点を中心に説明し、同様の事項については、その説明を省略する。
【００７２】
本実施形態にかかる表示装置１Ａは、１つの画素を構成するセルの数が異なる以外は、前述した第１実施形態と同様の構成である。
図１１に示すように、本実施形態の表示装置１Ａは、３つのセル５１（第１のセル５１Ａ、第２のセル５１Ｂ、第３の５１Ｃ）で１画素を構成している。
第１のセル５１Ａでは、第１の粒子Ａの色が赤色であり、第２の粒子Ｂの色が赤色と補色の関係にあるシアンである。また、第２のセル５１Ｂでは、第１の粒子Ａの色が緑色であり、第２の粒子Ｂの色が緑色と補色の関係にあるマゼンタである。また、第３のセル５１Ｃでは、第１の粒子Ａの色が青色であり、第２の粒子Ｂの色が青色と補色の関係にあるイエローである。このような第１のセル５１Ａ、第２のセル５１Ｂおよび第３のセル５１Ｃで１画素を構成することにより、表示装置１Ａは、フルカラー表示を実現することができる。
【００７３】
具体的には、第１実施形態で述べたように、第１のセル５１Ａは、黒色表示状態、白色表示状態、赤色表示状態およびシアン表示状態の４つの状態を取ることができる。これと同様に、第２のセル５１Ｂは、黒色表示状態、白色表示状態、緑色表示状態およびマゼンタ表示状態の４つの状態を、第３のセル５１Ｃは、黒色表示状態、白色表示状態、青色表示状態およびイエロー表示状態の４つの状態を、それぞれ、取ることができる。そして、第１のセル５１Ａの状態と、第２のセル５１Ｂの状態と、第３のセル５１Ｃの状態との組み合わせを制御（選択）することにより、当該画素にフルカラーを表示することができる。
【００７４】
なお、各セル５１について、第１の粒子Ａと第２の粒子Ｂの色の組み合わせは、逆であってもよい。すなわち、セル５１Ａでは、第１の粒子Ａがシアンであり、第２の粒子Ｂが赤色であってもよく、セル５１Ｂでは、第１の粒子Ａがマゼンタであり、第２の粒子Ｂが緑色であってもよく、セル５１Ｃでは、第１の粒子Ａがイエローであり、第２の粒子Ｂが青色であってもよい。
【００７５】
表示装置１Ａの具体的な作動は、表１および表２に示す通りである。なお、表１、表２中の「Ｗ」は、白色表示状態を意味し、「ＢＫ」は、黒色表示状態を意味し、「Ｒ」は、赤色表示状態を意味し、「Ｇ」は、緑色表示状態を意味し、「Ｂ」は、青色表示状態を意味し、「Ｃ」は、シアン表示状態を意味し、「Ｍ」は、マゼンタ表示状態を意味し、「Ｙ」は、イエロー表示状態を意味する。また、表１、表２に示すものは、一例であり、表示装置１Ａで表示できる色は、これに限定されるものではない。
【００７６】
【表１】
0005505130.tif 000002
【００７７】
【表２】
0005505130.tif 000003
【００７８】
−白色表示−
表１に示すように、画素に白色を表示させるパターンは、少なくとも３通りある。具体的には、各セル５１Ａ、５１Ｂ、５１Ｃを白色表示状態とするパターン（Ｗ１）と、第１のセル５１Ａを赤色表示状態とし、第２のセル５１Ｂを緑色表示状態とし、第３のセル５１Ｃを青色表示状態とするパターン（Ｗ２）と、第１のセル５１Ａをシアン表示状態とし、第２のセル５１Ｂをマゼンタ表示状態とし、第３のセル５１Ｃをイエロー表示状態とするパターン（Ｗ３）とを有している。
これら３つのパターン（Ｗ１）〜（Ｗ３）のうちのパターン（Ｗ１）が、最も鮮明で明るい白色（すなわち反射率が最も高い白色）を表示することができる点で好ましい。すなわち、パターン（Ｗ１）で白色を表示することにより、高いコントラストの画像を表示することができる。
【００７９】
−赤色表示−
表１に示すように、画素に赤色を表示させるパターンは、少なくとも７通りある。具体的には、第１のセル５１Ａを赤色表示状態とし、第２のセル５１Ｂおよび第３のセル５１Ｃをそれぞれ白色表示状態とするパターン（Ｒ１）と、第１のセル５１Ａを赤色表示状態とし、第２のセル５１Ｂおよび第３のセル５１Ｃのいずれか一方を白色表示状態、他方を黒色表示状態とするパターン（Ｒ２）、（Ｒ３）と、第１のセル５１Ａを赤色表示状態とし、第２のセル５１Ｂおよび第３のセル５１Ｃをそれぞれ黒色表示状態とするパターン（Ｒ４）と、第１のセル５１Ａを赤色表示状態とし、第２のセル５１Ｂをマゼンタ表示状態とし、第３のセル５１Ｃをイエロー表示状態とするパターン（Ｒ５）と、第１のセル５１Ａを白色表示状態とし、第２のセル５１Ｂをマゼンタ表示状態とし、第３のセル５１Ｃをイエロー表示状態とするパターン（Ｒ６）と、第１のセル５１Ａを黒色表示状態とし、第２のセル５１Ｂをマゼンタ表示状態とし、第３のセル５１Ｃをイエロー表示状態とするパターン（Ｒ７）とを有している。
パターン（Ｒ１）〜（Ｒ４）のうち、パターン（Ｒ１）が最も明るい赤色を表示することができ、パターン（Ｒ４）が最も暗い赤色を表示することができる。パターン（Ｒ２）およびパターン（Ｒ３）は、パターン（Ｒ１）とパターン（Ｒ４）の中間の明るさを有する赤色を表示することができる。
【００８０】
また、パターン（Ｒ５）は、７つのパターンのうち最も色合いに優れた（すなわち最も濃い）赤色を表示することができる。具体的には、第２のセル５１Ｂで表示されているマゼンタと第３のセル５１Ｃで表示されているイエローの混合色は、赤色である。そのため、第１のセル５１Ａで表示される赤色と、第２、第３のセル５１Ｂ、５１Ｃで表示される赤色とが合わさることにより、より色合いに優れた赤色が表示される。
【００８１】
−緑色表示−
表１に示すように、画素に緑色を表示させるパターンは、前述した赤色表示パターンと同様に、少なくとも７通りある。具体的には、第２のセル５１Ｂを緑色表示状態とし、第１のセル５１Ａおよび第３のセル５１Ｃをそれぞれ白色表示状態とするパターン（Ｇ１）と、第２のセル５１Ｂを緑色表示状態とし、第１のセル５１Ａおよび第３のセル５１Ｃのいずれか一方を白色表示状態、他方を黒色表示状態とするパターン（Ｇ２）、（Ｇ３）と、第２のセル５１Ｂを緑色表示状態とし、第１のセル５１Ａおよび第３のセル５１Ｃをそれぞれ黒色表示状態とするパターン（Ｇ４）と、第２のセル５１Ｂを緑色表示状態とし、第１のセル５１Ａをシアン表示状態とし、第３のセル５１Ｃをイエロー表示状態とするパターン（Ｇ５）と、第２のセル５１Ｂを白色表示状態とし、第１のセル５１Ａをシアン表示状態とし、第３のセル５１Ｃをイエロー表示状態とするパターン（Ｇ６）と、第２のセル５１Ｂを黒色表示状態とし、第１のセル５１Ａをシアン表示状態とし、第３のセル５１Ｃをイエロー表示状態とするパターン（Ｇ７）とを有している。
【００８２】
パターン（Ｇ１）〜（Ｇ４）のうち、パターン（Ｇ１）が最も明るい緑色を表示することができ、パターン（Ｇ４）が最も暗い緑色を表示することができる。パターン（Ｇ２）およびパターン（Ｇ３）は、パターン（Ｇ１）とパターン（Ｇ４）の中間の明るさを有する緑色を表示することができる。
また、パターン（Ｇ５）は、７つのパターンのうち最も色合いに優れた（すなわち最も濃い）緑色を表示することができる。具体的には、第１のセル５１Ａで表示されているシアンと第３のセル５１Ｃで表示されているイエローの混合色は、緑色である。そのため、第２のセル５１Ｂで表示される緑色と、第１、第３のセル５１Ａ、５１Ｃで表示される緑色とが合わさることにより、より色合いに優れた緑色が表示される。
【００８３】
−青色表示−
表１に示すように、画素に青色を表示させるパターンは、前述した赤色表示パターンと同様に、少なくとも７通りある。具体的には、第３のセル５１Ｃを青色表示状態とし、第１のセル５１Ａおよび第２のセル５１Ｂをそれぞれ白色表示状態とするパターン（Ｂ１）と、第３のセル５１Ｃを青色表示状態とし、第１のセル５１Ａおよび第２のセル５１Ｂのいずれか一方を白色表示状態、他方を黒色表示状態とするパターン（Ｂ２）、（Ｂ３）と、第３のセル５１Ｃを青色表示状態とし、第１のセル５１Ａおよび第２のセル５１Ｂをそれぞれ黒色表示状態とするパターン（Ｂ４）と、第３のセル５１Ｃを青色表示状態とし、第１のセル５１Ａをシアン表示状態とし、第２のセル５１Ｂをマゼンタ表示状態とするパターン（Ｂ５）と、第３のセル５１Ｃを白色表示状態とし、第１のセル５１Ａをシアン表示状態とし、第２のセル５１Ｂをマゼンタ表示状態とするパターン（Ｂ６）と、第３のセル５１Ｃを黒色表示状態とし、第１のセル５１Ａをシアン表示状態とし、第２のセル５１Ｂをマゼンタ表示状態とするパターン（Ｂ７）とを有している。
【００８４】
パターン（Ｂ１）〜（Ｂ４）のうち、パターン（Ｂ１）が最も明るい青色を表示することができ、パターン（Ｂ４）が最も暗い青色を表示することができる。パターン（Ｂ２）およびパターン（Ｂ３）は、パターン（Ｂ１）とパターン（Ｂ４）の中間の明るさを有する青色を表示することができる。
また、パターン（Ｂ５）は、７つのパターンのうち最も色合いに優れた（すなわち最も濃い）青色を表示することができる。具体的には、第１のセル５１Ａで表示されているシアンと第２のセル５１Ｂで表示されているマゼンタ色の混合色は、青色である。そのため、第３のセル５１Ｃで表示される青色と、第１、第２のセル５１Ａ、５１Ｂで表示される青色とが合わさることにより、より色合いに優れた青色が表示される。
【００８５】
−シアン表示−
表２に示すように、画素にシアンを表示させるパターンは、前述した赤色表示パターンと同様に、少なくとも７通りある。具体的には、第１のセル５１Ａをシアン表示状態とし、第２のセル５１Ｂおよび第３のセル５１Ｃをそれぞれ白色表示状態とするパターン（Ｃ１）と、第１のセル５１Ａをシアン表示状態とし、第２のセル５１Ｂおよび第３のセル５１Ｃのいずれか一方を白色表示状態、他方を黒色表示状態とするパターン（Ｃ２）、（Ｃ３）と、第１のセル５１Ａをシアン表示状態とし、第２のセル５１Ｂおよび第３のセル５１Ｃをそれぞれ黒色表示状態とするパターン（Ｃ４）と、第１のセル５１Ａをシアン表示状態とし、第２のセル５１Ｂを緑色表示状態とし、第３のセル５１Ｃを青色表示状態とするパターン（Ｃ５）と、第１のセル５１Ａを白色表示状態とし、第２のセル５１Ｂを緑色表示状態とし、第３のセル５１Ｃを青色表示状態とするパターン（Ｃ６）と、第１のセル５１Ａを黒色表示状態とし、第２のセル５１Ｂを緑色表示状態とし、第３のセル５１Ｃを青色表示状態とするパターン（Ｃ７）とを有している。
【００８６】
パターン（Ｃ１）〜（Ｃ４）のうち、パターン（Ｃ１）が最も明るいシアンを表示することができ、パターン（Ｃ４）が最も暗いシアンを表示することができる。パターン（Ｃ２）およびパターン（Ｃ３）は、パターン（Ｃ１）とパターン（Ｃ４）の中間の明るさを有するシアンを表示することができる。
また、パターン（Ｃ５）は、７つのパターンのうち最も色合いに優れた（すなわち最も濃い）シアンを表示することができる。具体的には、第２のセル５１Ｂで表示されている緑色と第３のセル５１Ｃで表示されている青色の混合色は、シアンである。そのため、第１のセル５１Ａで表示されるシアンと、第２、第３のセル５１Ｂ、５１Ｃで表示されるシアンとが合わさることにより、より色合いに優れたシアンが表示される。
【００８７】
−マゼンタ表示−
表２に示すように、画素にマゼンタを表示させるパターンは、前述した赤色表示パターンと同様に、少なくとも７通りある。具体的には、第２のセル５１Ｂをマゼンタ表示状態とし、第１のセル５１Ａおよび第３のセル５１Ｃをそれぞれ白色表示状態とするパターン（Ｍ１）と、第２のセル５１Ｂをマゼンタ表示状態とし、第１のセル５１Ａおよび第３のセル５１Ｃのいずれか一方を白色表示状態、他方を黒色表示状態とするパターン（Ｍ２）、（Ｍ３）と、第２のセル５１Ｂをマゼンタ表示状態とし、第１のセル５１Ａおよび第３のセル５１Ｃをそれぞれ黒色表示状態とするパターン（Ｍ４）と、第２のセル５１Ｂをマゼンタ表示状態とし、第１のセル５１Ａを赤色表示状態とし、第３のセル５１Ｃを青色表示状態とするパターン（Ｍ５）と、第２のセル５１Ｂを白色表示状態とし、第１のセル５１Ａを赤色表示状態とし、第３のセル５１Ｃを青色表示状態とするパターン（Ｍ６）と、第２のセル５１Ｂを黒色表示状態とし、第１のセル５１Ａを赤色表示状態とし、第３のセル５１Ｃを青色表示状態とするパターン（Ｍ７）とを有している。
【００８８】
パターン（Ｍ１）〜（Ｍ４）のうち、パターン（Ｍ１）が最も明るいマゼンタを表示することができ、パターン（Ｍ４）が最も暗いマゼンタを表示することができる。パターン（Ｍ２）およびパターン（Ｍ３）は、パターン（Ｍ１）とパターン（Ｍ４）の中間の明るさを有するマゼンタを表示することができる。
また、パターン（Ｍ５）は、７つのパターンのうち最も色合いに優れた（すなわち最も濃い）マゼンタを表示することができる。具体的には、第１のセル５１Ａで表示されている赤色と第３のセル５１Ｃで表示されている青色の混合色は、マゼンタである。そのため、第２のセル５１Ｂで表示されるマゼンタと、第１、第３のセル５１Ａ、５１Ｃで表示されるマゼンタとが合わさることにより、より色合いに優れたマゼンタが表示される。
【００８９】
−イエロー表示−
表２に示すように、画素にイエローを表示させるパターンは、前述した赤色表示パターンと同様に、少なくとも７通りある。具体的には、第３のセル５１Ｃをイエロー表示状態とし、第１のセル５１Ａおよび第２のセル５１Ｂをそれぞれ白色表示状態とするパターン（Ｙ１）と、第３のセル５１Ｃをイエロー表示状態とし、第１のセル５１Ａおよび第２のセル５１Ｂのいずれか一方を白色表示状態、他方を黒色表示状態とするパターン（Ｙ２）、（Ｙ３）と、第３のセル５１Ｃをイエロー表示状態とし、第１のセル５１Ａおよび第２のセル５１Ｂをそれぞれ黒色表示状態とするパターン（Ｙ４）と、第３のセル５１Ｃをイエロー表示状態とし、第１のセル５１Ａを赤色表示状態とし、第２のセル５１Ｂを緑色表示状態とするパターン（Ｙ５）と、第３のセル５１Ｃを白色表示状態とし、第１のセル５１Ａを赤色表示状態とし、第２のセル５１Ｂを緑色表示状態とするパターン（Ｙ６）と、第３のセル５１Ｃを黒色表示状態とし、第１のセル５１Ａを赤色表示状態とし、第２のセル５１Ｂを緑色表示状態とするパターン（Ｙ７）とを有している。
【００９０】
パターン（Ｙ１）〜（Ｙ４）のうち、パターン（Ｙ１）が最も明るいイエローを表示することができ、パターン（Ｙ４）が最も暗いイエローを表示することができる。パターン（Ｙ２）およびパターン（Ｙ３）は、パターン（Ｙ１）とパターン（Ｙ４）の中間の明るさを有するイエローを表示することができる。
また、パターン（Ｙ５）は、７つのパターンのうち最も色合いに優れた（すなわち最も濃い）イエローを表示することができる。具体的には、第１のセル５１Ａで表示されている赤色と第２のセル５１Ｂで表示されている緑色の混合色は、イエローである。そのため、第３のセル５１Ｃで表示されるイエローと、第１、第２のセル５１Ａ、５１Ｂで表示されるイエローとが合わさることにより、より色合いに優れたイエローが表示される。
【００９１】
−黒色表示−
表２に示すように、画素に黒色を表示させるパターンは、少なくとも１通りある。具体的には、各セル５１Ａ、５１Ｂ、５１Ｃを黒色表示状態とするパターン（ＢＫ１）を有している。
−灰色表示−
表２に示すように、画素に灰色を表示させるパターンは、少なくとも６通りある。具体的には、第１のセル５１Ａ、第２の５１Ｂおよび第３の５１Ｃのいずれか１つのセルを黒色表示状態とし、他の２つのセルを白色表示状態とするパターン（ＧＲ１）、（ＧＲ２）、（ＧＲ３）と、第１のセル５１Ａ、第２の５１Ｂおよび第３の５１Ｃのいずれか１つのセルを白色表示状態とし、他の２つのセルを黒色表示状態とするパターン（ＧＲ４）、（ＧＲ５）、（ＧＲ６）とを有している。
パターン（ＧＲ１）〜（ＧＲ６）のうち、パターン（ＧＲ１）、（ＧＲ２）、（ＧＲ３）が白色に近い灰色であり、パターン（ＧＲ４）、（ＧＲ５）、（ＧＲ６）が黒色に近い灰色である。
【００９２】
・その他の色の表示状態
表１、表２には、示していないが、画素には、上述した色以外の色を表示させることもできる。例えば、赤色と緑色の混色を表示させるには、第１のセル５１Ａを赤色表示状態とし、第２のセル５１Ｂを緑色表示状態とし、第３のセル５１Ｃを白色表示状態または黒色表示状態とすればよいし、緑色と青色の混色を表示させるには、第２のセル５１Ｂを緑色表示状態とし、第３のセル５１Ｃを青色表示状態とし、第１のセル５１Ａを白色表示状態または黒色表示状態とすればよいし、青色と赤色の混色を表示させるには、第３のセル５１Ｃを青色表示状態とし、第１のセル５１Ａを赤色表示状態とし、第２のセル５１Ｂを白色表示状態または黒色表示状態とすればよい。また、例えば、シアンとマゼンタの混色を表示させるには、第１のセル５１Ａをシアン表示状態とし、第２のセル５１Ｂをマゼンタ表示状態とし、第３のセル５１Ｃを白色表示状態または黒色表示状態とすればよいし、マゼンタとイエローの混色を表示させるには、第２のセル５１Ｂをマゼンタ表示状態とし、第３のセル５１Ｃをイエロー表示状態とし、第１のセル５１Ａを白色表示状態または黒色表示状態とすればよいし、イエローとシアンの混色を表示させるには、第３のセル５１Ｃをイエロー表示状態とし、第１のセル５１Ａをシアン表示状態とし、第２のセル５１Ｂを白色表示状態または黒色表示状態とすればよい。
以上のような第２実施形態によっても、前述した第１実施形態と同様の効果を発揮することができる。
【００９３】
＜電子機器＞
以上のような表示装置１は、各種電子機器に組み込むことができる。以下、表示装置１を備える本発明の電子機器について説明する。
＜＜電子ペーパー＞＞
まず、本発明の電子機器を電子ペーパーに適用した場合の実施形態について説明する。
図１２は、本発明の電子機器を電子ペーパーに適用した場合の実施形態を示す斜視図である。
図１２に示す電子ペーパー６００は、紙と同様の質感および柔軟性を有するリライタブルシートで構成される本体６０１と、表示ユニット６０２とを備えている。
このような電子ペーパー６００では、表示ユニット６０２が、前述したような表示装置１で構成されている。
【００９４】
＜＜ディスプレイ＞＞
次に、本発明の電子機器をディスプレイに適用した場合の実施形態について説明する。
図１３は、本発明の電子機器をディスプレイに適用した場合の実施形態を示す図である。このうち、図１３中（ａ）は断面図、（ｂ）は平面図である。
図１３に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１２に示す構成と同様のものである。
【００９５】
本体部８０１は、その側部（図１３（ａ）中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００９６】
また、本体部８０１の表示面側（図１３（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００９７】
また、電子ペーパー６００の挿入方向先端部（図１３中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。
【００９８】
また、このようなディスプレイ８００では、電子ペーパー６００が、前述したような表示装置１で構成されている。
なお、本発明の電子機器は、以上のようなものへの適用に限定されず、そのほか、例えば、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部に、表示装置１を適用することが可能である。
【００９９】
以上、本発明の表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、本発明の表示装置の製造方法は、前記各実施形態のうちの、任意の２以上の構成を組み合わせたものであってもよい。
また、前述した実施形態では、セルが表示層の平面視にて略四角形をなしており、マトリックス状に配置された構成について説明したが、セルの形状および配置は、これに限定されず、例えば、各セルが表示層の平面視にて略六角形をなし、ハニカム状に配置されていてもよい。
【０１００】
また、前述した実施形態では、白色の第３の粒子が実質的に帯電していない非帯電粒子である場合について説明したが、電界が作用していない状態でセル内に分散した状態となるものであれば、正または負の電荷を有する帯電粒子であってもよい。また、第３の粒子は、白色でなくてもよく、例えば、金、銀、銅等の金属色であってもよい。
また、前述した実施形態は、いわゆる隔壁型（セル型）の表示装置であるが、これに限定されず、いわゆるマイクロカプセル型を用いてもよい。
【符号の説明】
【０１０１】
１、１Ａ‥‥表示装置  １ａ‥‥表示面  ２‥‥表示シート  ３‥‥基板  ３１‥‥基部  ３２‥‥表示面側電極  ５‥‥表示層  ５１‥‥セル  ５１Ａ‥‥第１のセル  ５１Ｂ‥‥第２のセル  ５１Ｃ‥‥第３のセル  ５２‥‥基体  ５２１‥‥凹部  ５３‥‥蓋体  ６‥‥分散媒  ９‥‥回路基板  ９１‥‥基部  ９２、９２’、９２”、９２１、９２２‥‥裏面側電極  １０‥‥分散液  １００、１１０‥‥電極  ６００‥‥電子ペーパー  ６０１‥‥本体  ６０２‥‥表示ユニット  ８００‥‥ディスプレイ  ８０１‥‥本体部  ８０２ａ、８０２ｂ‥‥搬送ローラ対  ８０３‥‥孔部  ８０４‥‥透明ガラス板  ８０５‥‥挿入口  ８０６‥‥端子部  ８０７‥‥ソケット  ８０８‥‥コントローラー  ８０９‥‥操作部  Ａ‥‥第１の粒子  Ｂ‥‥第２の粒子  Ｃ‥‥第３の粒子  Ｔ１〜Ｔ３‥‥期間  ｆ１、ｆ３‥‥吸着エネルギー  ｆ２、ｆ４‥‥脱出エネルギー
【図１】
0005505130.tif 000004
【図２】
0005505130.tif 000005
【図３】
0005505130.tif 000006
【図４】
0005505130.tif 000007
【図５】
0005505130.tif 000008
【図６】
0005505130.tif 000009
【図７】
0005505130.tif 000010
【図８】
0005505130.tif 000011
【図９】
0005505130.tif 000012
【図１０】
0005505130.tif 000013
【図１１】
0005505130.tif 000014
【図１２】
0005505130.tif 000015
【図１３】
0005505130.tif 000016